(57)【要約】【課題】一定量の水を測定し、その水をセメントをベースとした混練材用のミキサー等に供給し得る簡易な計量タンクを提供する。【解決手段】タンク１に供給される液体を排出管２によりタンク１の外部に取出し可能とし、タンク１の上部に上下移動可能な逆Ｕ状の供給管４を設置し、この供給管４の垂下部４ａの適所に、検知することにより供給管４からの液供給を停止するための液位センサ５を設けると共に、この液位センサ５の下方に液抜き穴６を設け、供給管４の立上り部４ｃと接続されるポンプＰの吐出部４ｄを供給管４の垂下部４ａの液抜き穴６よりも下方に位置するように設置することにより所期の目的を達成することができる。【選択図】図１
2010101659.tif 000002
【特許請求の範囲】
【請求項１】
タンク１に供給される液体を排出管２によりタンク１の外部に取出し可能とし、タンク１の上部に上下移動可能な逆Ｕ状の供給管４を設置し、この供給管４の垂下部４ａの適所に、検知することにより供給管４からの液供給を停止するための液位センサ５を設けると共に、この液位センサ５の下方に液抜き穴６を設け、供給管４の立上り部４ｃと接続されるポンプＰの吐出部４ｄを供給管４の垂下部４ａの液抜き穴６よりも下方に位置するように設置して成ることを特徴とする計量タンク。
【発明の詳細な説明】
【技術分野】
【０００１】
本発明は、例えばセメントをベースとした混練材用のミキサー等に接続して使用する計量タンクに関するものであって、一定量の水や液剤の供給を必要とするあらゆる用途に使用できるものである。
【背景技術】
【０００２】
土木、建築用の混練材に関しては、その強度等の点から水対材料の配合比率を適正にして、攪拌、混合する必要がある。そして、水の配合比率も当然適正なものでなければならない。このように、セメントをベースとした混練材用のミキサー等に供給する水の分量は、他のモルタル材料の分量に応じて一定に設定されるものであり、この供給される水の分量を正確に測定することのできる水量計として、従来から高価な水量計が存在しているが、本発明は、このような高価なものでなく、簡単な構成でありながら、供給されるべき液量を正確に測定でき、混練材用ミキサー等に水を供給できる簡易タイプの水量計を提供することをその目的とするもので、主として土木、建築分野においては不適切な水配合比率の混練材の供給等の防止を図ることができ、また、一定量の液を必要とするあらゆる分野に利用することができるものである。
【０００３】
このような目的のために、従来から液位を検知して液の供給を停止することにより所定量の液をタンクに供給しようとしているが、一般的に液位を検知して液の供給をストップした時は、供給管に液が残っており、これが供給ストップ後にタンクに落ち込み、これが液量を狂わせることになるので、従来は供給管とは別にオーバーフロー管を設置したり（特許文献１及び２参照）または強制抜き取り機構を設置したり（特許文献３及び４参照）している。
【０００４】
しかしながら、前者のオーバーフロー管を設けるものは、液位の設定がオーバーフロー管を水中で上下させることにより行うため、長年使用によりシール部での水漏れが生じやすい欠点があり、また後者では、別途に強制抜き取り機構を付加する必要がある。そしていずれも、取出管と供給管以外に水位矯正のための第３の別途要素が必須となるため、部品点数並びにその調整が増えて扱いにくい上に高価にならざるを得ない欠点があった。
【特許文献１】特開２０００−２５７８号公報
【特許文献２】特開平８−３２７４２８号公報
【特許文献３】特開２００７−４７０４４号公報
【特許文献４】実用新案登録第３０３８８７１号公報
【発明の開示】
【発明が解決しようとする課題】
【０００５】
本発明は、簡単な構造でありながら、正確に液量を計測して所定量の液を供給できる計量タンクを提供するものである。
【課題を解決するための手段】
【０００６】
本発明の主たる特徴は、タンク１に供給される液体を排出管２によりタンク１の外部に取出し可能とし、タンク１の上部に上下移動可能な逆Ｕ状の供給管４を設置し、この供給管４の垂下部４ａの適所に、検知することにより供給管４からの液供給を停止するための液位センサ５を設けると共に、この液位センサ５の下方に液抜き穴６を設け、供給管４の立上り部４ｃと接続されるポンプＰの吐出部４ｄを供給管４の垂下部４ａの液抜き穴６よりも下方に位置するように設置したことである。
【発明の効果】
【０００７】
本発明にあっては上述のように、構成したから、液位センサ５で液位を検知すると、その段階で液の供給はストップするが、その際、供給管４の垂下部４ａに残った液は液位センサ５よりも下方に液抜き穴６があるためにサイフォンの作用により立上り部４ｃ側に戻され、タンク１内の液位が液抜き穴６が空気に触れるまで下がって停止する。この場合、液が戻される最終段階で少し垂下部４ａと水平部４ｂに残留していた液は、液抜き穴６の最上部よりも液位が下がって大気に開放されると、タンク１内に戻されることになるが、この戻される液量は常に一定と言える。これを補正により加算して目盛７を設定しておき、タンク１に供給する液量は、供給管４を上下させることにより調整できるものである。
【０００８】
このように本発明では、従来のような別途オーバーフロー管や抜き取り機構を施す必要がなく、供給管４を上下させることにより、簡単かつ正確に定量液の供給ができるので、構造が簡単であり、また上下する供給管４はタンク１に上から掛け渡して差し込むだけで良いから、水に対するシール構造も厳密である必要はなく、また耐久性も向上し、安価に装置を提供できる。殊に、ポンプＰと供給管４との接続を可撓管で行うと、シール処理は一層簡略となる。
【発明を実施するための最良の形態】
【０００９】
以下、添付の図面に基づき本発明の一実施例に付き詳細に説明する。図１においてタンク１は水やその他の任意の液を計量するもので、金属や合成樹脂製円筒その他任意の筒状又は適宜の形状であり、このタンク１には、例えばセメントをベースとした混練材用ミキサー等に送水する取出管２と、ポンプＰ等から送られて来る液を供給するための供給管４が配設される。
【００１０】
取出管２は開閉弁３が設けられ、必要に応じてミキサー等に接続され、供給管４は垂下部４ａ、水平部４ｂ、立上り部４ｃにより略逆Ｕ字状に形成されたもので、タンク１に対して上下移動可能に設置される。１１は供給管４を上下動自在に保持するためにタンク１の適所に設置されたホルダーで、タンク１のサイズや目的等に応じて任意の形態のものを採用できる。供給管４とポンプＰとの接続は任意に行えるが、例えばポンプＰの吐出部４ｄの上向き部分に供給管４の立上り部４ｃを摺動自在に接続したり、或いは両者を可撓管で接続することもできる。
【００１１】
垂下部４ａの下端は液供給のための開口４ｅが設けられ、適宜位置に液位検知の液位センサ５が設けられ、この液位センサ５の下方位置には液抜き穴６が施される。尚、この場合、開口４ｅを液抜き穴６に兼用させることも可能であるが、垂下部４ａに穿孔する液抜き穴６は一般に開口４ｅよりも小さくできるので、逆流させる液量の設定の精度を上げることができるので好ましいと言える。ここで吐出部４ｄはタンク１の底よりも低位に設定し、タンク１内に給水した場合の水位Ａよりも常にポンプＰの吐出部４ｄが低位となるように設定される。また、目盛７を上下動する供給管４に設置し、指示部８をタンク１の外壁や立上り部４ｃが保持される吐出部４ｄの最上部、タンク１外壁等の固定部に設ける。尚、これとは逆に、タンク１外壁やその他の固定部位に目盛７を設け、上下動する供給管４の適所に目盛７に対応して上下する指示部８を設けても構わない。更に、タンク１が設置される架台９やタンク１には供給する液量の設定を正確にするため、必要に応じて水準器１０が適宜設置される。
（作用の説明）
【００１２】
図２は本発明の作用の概略を説明するもので、（ａ）はポンプＰにより供給管４を経て液をタンク１に供給し、液位センサ５の作用により液位を検出してポンプＰの駆動が停止した直後の状態を示し、液は開口４ｅ及び液抜き穴６よりタンク１に供給され、液面はまだ波打っている。
【００１３】
やがて液面も落ち着き、ポンプＰが停止して吐出圧がなくなると、ポンプＰの吐出部４ｄの液位が液面Ａよりも低位にあるため、液面Ａに加わる大気圧により液位がＡ−１まで下がり、ポンプＰ側に戻される。そして図２（ｂ）のように液抜き穴６の最上部が大気に開放されると、液の戻りは停止する。
【００１４】
このとき、供給管４の垂下部４ａと水平部４ｂに残っていた液は図２(ｃ)のようにポンプＰ側ではなくタンク１側に落下して加算されることになるが、その量は常に一定量となるので、その分を加算補正して目盛７の設定を決定することができる。液量を変えたい時は、供給管４を上下させることにより、任意に調整することができる。
【産業上の利用可能性】
【００１５】
本発明にあっては、このように簡易な構造により、液量の正確な測定と供給が可能となり、例えばセメントをベースとした混練材等と水との配合を容易に正確な混合比率で行うことが可能となって、土木、建築施工上のかかる不適切な混練材の供給等から生ずる所用の強度の不確実性を防止することができることとなる。また、従来の高価な液量計を用いることなく、操作が簡便であり、構成も極めて単純であるために、製造簡単且つ製造コストの低減化にも大いに貢献することとなる。
【図面の簡単な説明】
【００１６】
【図１】本発明の一実施例の一部を断面とした概略側面図。
【図２】同上の作用説明図。
【符号の説明】
【００１７】
１  タンク
２  取出管
４  供給管
４ａ  垂下部1
４ｂ  水平部
４ｃ  立上り部
４ｄ  吐出部
５  液位センサ
６  液抜き穴
Ｐ  ポンプ
【図１】
2010101659.tif 000003
【図２】
2010101659.tif 000004